【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
燃料ディスペンサーにおいて、
ハウジングを含み、前記ハウジングは、前記ハウジングに取り付けられた燃料分配構成要素を有し、前記ハウジングに取り付けられたディスプレイスクリーンと、少なくとも部分的に前記ハウジング内に配されたエレクトロニクスモジュールと、を有し、前記エレクトロニクスモジュールは、
画像センサー、ならびに、
前記ディスプレイスクリーンおよび前記画像センサーに動作可能に接続された少なくとも１つのデータプロセッサを含み、前記少なくとも１つのデータプロセッサは、
顧客の手の視覚的描写を含む画像を前記画像センサーから受信し、
前記画像から、前記顧客の前記手のジェスチャーを決定し、
決定された前記ジェスチャーに基づいて、前記ディスプレイスクリーン上に示されたグラフィカルユーザーインターフェース（ＧＵＩ）ディスプレイ空間上のレンダリングを修正し、前記ＧＵＩディスプレイ空間を、デフォルトのアイドル構成から、前記燃料ディスペンサーにおける燃料補給セッションがアクティブであることを示すアクティブ構成に変化させる、
ように構成され、
前記ジェスチャーは、前記顧客が前記燃料ディスペンサーに触れないタッチレスのジェスチャーであり、
前記ジェスチャーを決定することは、複数の所定の手のポーズのうちの１つとして前記ジェスチャーを識別することを含み、
前記所定の手のポーズはそれぞれ、前記ＧＵＩディスプレイ空間上の前記レンダリングの異なる修正と関連し、前記少なくとも１つのデータプロセッサが、前記所定の手のポーズのうちの前記１つとしての前記ポーズの識別に基づいて、前記ＧＵＩディスプレイ空間上の前記レンダリングを修正する、燃料ディスペンサー。
【請求項２】
請求項１に記載の燃料ディスペンサーにおいて、
前記少なくとも１つのデータプロセッサは、前記ジェスチャーを分類する、燃料ディスペンサー。
【請求項３】
請求項１又は２に記載の燃料ディスペンサーにおいて、
前記ジェスチャーは、前記顧客の手のポーズを含む、燃料ディスペンサー。
【請求項４】
請求項３に記載の燃料ディスペンサーにおいて、
前記ジェスチャーを決定する前記少なくとも１つのデータプロセッサは、前記動作の方向を決定する前記少なくとも１つのデータプロセッサを含む、燃料ディスペンサー。
【請求項５】
請求項１〜４のいずれか一項に記載の燃料ディスペンサーにおいて、
前記燃料分配構成要素は、燃料貯蔵器から前記ディスペンサーを通じて燃料を供給するように構成された燃料ポンプと、前記燃料ポンプによって供給された燃料の量を測定するように構成された燃料メーターと、を含む、燃料ディスペンサー。
【請求項６】
請求項１〜５のいずれか一項に記載の燃料ディスペンサーにおいて、
前記ディスプレイ空間が示される前記ディスプレイスクリーンは、前記ハウジングに装着されたタッチスクリーンである、燃料ディスペンサー。
【請求項７】
請求項１〜６のいずれか一項に記載の燃料ディスペンサーにおいて、
前記少なくとも１つのデータプロセッサは、前記画像から前記顧客のアイデンティティを決定するように構成され、前記燃料補給セッションを続行させる前に前記顧客の決定された前記アイデンティティを照合するように構成されている、燃料ディスペンサー。
【請求項８】
請求項７に記載の燃料ディスペンサーにおいて、
前記少なくとも１つのデータプロセッサは、前記顧客の決定された前記アイデンティティに基づいて、前記アクティブ構成にある前記ＧＵＩディスプレイ空間上にレンダリングされた要素を動的に並べ替えるように構成されている、燃料ディスペンサー。
【請求項９】
請求項７又は８に記載の燃料ディスペンサーにおいて、
前記少なくとも１つのデータプロセッサは、前記レンダリングの修正後、および前記顧客の前記アイデンティティの決定後に、
前記アクティブ構成にある前記ＧＵＩディスプレイ空間と共に前記ディスプレイスクリーン上に顧客プロンプトを示させ、
前記顧客の少なくとも一部の視覚的描写を含む第２の画像を前記画像センサーから受信し、
前記第２の画像から前記顧客の第２のジェスチャーを決定し、
決定された前記第２のジェスチャーから、前記顧客プロンプトに対する前記顧客の応答を決定する、
ように構成されている、燃料ディスペンサー。
【請求項１０】
請求項１〜９のいずれか一項に記載の燃料ディスペンサーにおいて、
前記ＧＵＩディスプレイ空間が前記デフォルトのアイドル構成にあるとき、プロモーションビデオが前記ＧＵＩディスプレイ空間上に表示される、燃料ディスペンサー。
【請求項１１】
燃料ディスペンサーにおいて、
ハウジングを含み、前記ハウジングは、前記ハウジングに取り付けられた燃料分配構成要素を有し、グラフィカルユーザーインターフェース（ＧＵＩ）ディスプレイ空間を含む、前記ハウジングに取り付けられたディスプレイと、少なくとも部分的に前記ハウジング内に配されたエレクトロニクスモジュールと、を有し、前記エレクトロニクスモジュールは、
画像センサー、ならびに、
前記ディスプレイおよび前記画像センサーに動作可能に接続された少なくとも１つのデータプロセッサを含み、前記少なくとも１つのデータプロセッサは、
顧客の少なくとも顔および手の視覚的描写を含む画像を前記画像センサーから受信し、
前記画像に描かれた前記手から、前記顧客の前記手のポーズを決定し、
決定された前記ポーズに基づいて、前記ＧＵＩディスプレイ空間上のレンダリングを修正し、
前記画像に描かれた前記顔から、前記顧客のアイデンティティを決定する、
ように構成され、
前記ポーズは、前記顧客が前記燃料ディスペンサーに触れないタッチレスのジェスチャーであり、
前記ポーズを決定することは、複数の所定の手のポーズのうちの１つとして前記ポーズを識別することを含み、
前記所定の手のポーズはそれぞれ、前記ＧＵＩディスプレイ空間上の前記レンダリングの異なる修正と関連し、前記少なくとも１つのデータプロセッサが、前記所定の手のポーズのうちの前記１つとしての前記ポーズの識別に基づいて、前記ＧＵＩディスプレイ空間上の前記レンダリングを修正する、燃料ディスペンサー。
【請求項１２】
請求項１１に記載の燃料ディスペンサーにおいて、
前記複数の所定の手のポーズのうちの第１の手のポーズは、燃料補給の開始を示すように前記ＧＵＩディスプレイ空間上の前記レンダリングを修正することに関連し、
前記複数の所定の手のポーズのうちの第２の手のポーズは、前記燃料補給が開始されていないことを示すように前記ＧＵＩディスプレイ空間上の前記レンダリングを修正することに関連する、燃料ディスペンサー。
【請求項１３】
請求項１１に記載の燃料ディスペンサーにおいて、
前記複数の所定の手のポーズのうちの第１の手のポーズは、前記燃料分配構成要素が燃料補給のために有効になっていることを示すように前記ＧＵＩディスプレイ空間上の前記レンダリングを修正することに関連し、
前記複数の所定の手のポーズのうちの第２の手のポーズは、前記燃料分配構成要素が燃料補給のために有効になっていないことを示すように前記ＧＵＩディスプレイ空間上の前記レンダリングを修正することに関連する、燃料ディスペンサー。
【請求項１４】
請求項１１に記載の燃料ディスペンサーにおいて、
前記複数の所定の手のポーズのうちの第１の手のポーズは、前記燃料ディスペンサーによって分配される燃料について第１の種類の支払いが選択されたことを示すように前記ＧＵＩディスプレイ空間上の前記レンダリングを修正することに関連し、
前記複数の所定の手のポーズのうちの第２の手のポーズは、前記燃料ディスペンサーによって分配される燃料について第２の異なる種類の支払いが選択されたことを示すように前記ＧＵＩディスプレイ空間上の前記レンダリングを修正することに関連する、燃料ディスペンサー。
【請求項１５】
請求項１４に記載の燃料ディスペンサーにおいて、
前記複数の所定の手のポーズのうちの第３の手のポーズは、前記燃料ディスペンサーによって分配される燃料についていかなる支払いも選択されていないことを示すように前記ＧＵＩディスプレイ空間上の前記レンダリングを修正することに関連する、燃料ディスペンサー。
【請求項１６】
請求項１１〜１５のいずれか一項に記載の燃料ディスペンサーにおいて、
前記少なくとも１つのデータプロセッサは、決定された前記ジェスチャーに基づいて燃料分配の可能化を誘起する、燃料ディスペンサー。
【請求項１７】
請求項１１〜１６のいずれか一項に記載の燃料ディスペンサーにおいて、
前記ＧＵＩディスプレイ空間は、タッチスクリーン上にある、燃料ディスペンサー。
【請求項１８】
請求項１１〜１７のいずれか一項に記載の燃料ディスペンサーにおいて、
前記少なくとも１つのデータプロセッサは、前記顧客の決定された前記アイデンティティに基づいて、アクティブ構成にある前記ＧＵＩディスプレイ空間上にレンダリングされた要素を動的に並べ替えるように構成されている、燃料ディスペンサー。
【請求項１９】
請求項１１〜１８のいずれか一項に記載の燃料ディスペンサーにおいて、
前記少なくとも１つのデータプロセッサは、前記顧客の前記アイデンティティの決定後に、
アクティブ構成にある前記ＧＵＩディスプレイ空間と共に前記ディスプレイのスクリーン上に顧客プロンプトを示させ、
前記顧客の少なくとも一部の視覚的描写を含む第２の画像を前記画像センサーから受信し、
前記第２の画像から前記顧客の第２のジェスチャーを決定し、
決定された前記第２のジェスチャーから、前記顧客プロンプトに対する前記顧客の応答を決定し、
決定された前記応答に基づいて、前記ＧＵＩディスプレイ空間上の前記レンダリングを修正する、
ように構成されている、燃料ディスペンサー。
【請求項２０】
請求項１９に記載の燃料ディスペンサーにおいて、
前記ＧＵＩディスプレイ空間上の前記レンダリングを修正することは、決定された前記第２のジェスチャーに応じて、前記燃料分配構成要素が燃料補給のために有効になっていることを示す、燃料ディスペンサー。
【請求項２１】
請求項１１〜２０のいずれか一項に記載の燃料ディスペンサーにおいて、
前記ＧＵＩディスプレイ空間上の前記レンダリングは、前記顧客の前記アイデンティティが決定された後で、アイドルスクリーンから顧客照合スクリーンへと修正される、燃料ディスペンサー。